(57)【要約】【課題】  取得した撮影画像に装飾性の高い装飾画像を用いて編集を施し、編集を施した撮影画像を印刷することができる画像印刷装置を提供する。【解決手段】  画像印刷装置に適切にメディアが挿入されている場合、取得した撮影画像の中から、編集対象とする画像を選択する処理を行なう（Ｓ２５）。画像の選択処理が終了すると、利用者からタッチペンによる画像に対する編集入力を受け付ける処理を行なう（Ｓ３０）。ここで入力される装飾画像は普通色と特殊色とで構成される。特殊色としては、金・銀・ラメ・パールなどが用いられる。印刷媒体にプリントするレイアウトを選択するレイアウト選択処理を行ない（Ｓ３５）、それぞれの画像のプリント枚数を設定させる（Ｓ４０）。設定したプリント枚数分の印刷が実行される（Ｓ４５）。【選択図】        図６
2006142776.tif 000002
【特許請求の範囲】
【請求項１】
画像を取得する画像取得部と、
前記画像に対する、普通色と特殊色とからなる装飾画像の入力を受付ける装飾画像受付部と、
前記画像のレイアウト選択を受付けるレイアウト受付部と、
前記レイアウトが行なわれた画像のプリント枚数を入力するプリント枚数入力部と、
前記受付けられたレイアウト選択、および前記入力されたプリント枚数に従って、印刷媒体に、前記画像と前記装飾画像のうちの普通色の部分とのプリントを行なうカラー印刷部と、
前記受付けられたレイアウト選択、および前記入力されたプリント枚数に従って、前記印刷媒体に、前記装飾画像のうちの特殊色の部分のプリントを行なう特殊色印刷部とを備え、
前記カラー印刷部と前記特殊色印刷部とを動作させることにより、前記印刷媒体に、前記取得された画像と、前記入力された普通色と特殊色とからなる装飾画像の合成画像をプリントする、画像印刷装置。
【請求項２】
前記レイアウト受付部は、
レイアウト表示領域と画像選択領域とを表示する表示部と、
前記画像選択領域からの画像選択を受付ける第１受付部と、
１つの印刷媒体に印刷する画像のレイアウトを受付ける第２受付部とを備え、
前記第１受付部で受付けた画像選択の順番、および前記第２受付部で受付けたレイアウトに基づいて、前記レイアウト表示領域に選択された画像を表示し、
前記レイアウト表示領域に表示された画像をプリントする画像とする、請求項１に記載の画像印刷装置。
【請求項３】
前記画像に写っている人の数を判定する判定手段をさらに備え、
前記プリント枚数入力手段は、前記判定手段の判定結果に基づいてプリント枚数を決定し、それを入力とする、請求項１または２に記載の画像印刷装置。
【請求項４】
前記判定手段の判定結果に基づいて決定されたプリント枚数を、ユーザ入力に基づいて変更する変更手段をさらに備えた、請求項３に記載の画像印刷装置。
【発明の詳細な説明】
【技術分野】
【０００１】
この発明は画像印刷装置に関し、特に宴会、パーティー、結婚式場等に移動可能に、または固定的に設置され、簡易な操作で撮影画像を取得し、該取得した撮影画像に装飾性の高い装飾画像で編集を施し、編集を施した撮影画像を印刷することができる画像印刷装置に関する。
【背景技術】
【０００２】
宴会やパーティや結婚式の披露宴においては、催しの様子や出席者や新郎新婦などを出席した各個人が所有しているデジタルカメラなどで撮影することがよく行なわれる。そして、撮影した撮影画像は、上述の宴会やパーティや結婚式の披露宴が終了した後に、カメラを所持している個人がカメラ店などで写真としてプリント出力を行なったり、最近では自宅のパソコンやプリンタを用いて写真としてプリント出力を行なったりすることが一般的である。このような場合、他の出席者で写真を所望している人に対しては、郵送で送ったり、電子メールで送ったりする。
【０００３】
また、以下の特許文献１には、撮像手段により撮像された写真画像を受付手段により受け付け、受け付けられた写真画像の少なくとも１枚を表示手段の画面上に表示して、表示された写真画像に文字や図形の書き込み画像情報を書き込み操作をして合成画像を生成することを特徴とする記念写真編集装置が開示されている。
【０００４】
また、以下の特許文献２には、デジタルカメラ用の記録媒体に記録された写真画像のデータを読み出す読出し装置と、画像データを表示する表示装置と、操作者により入力を行うための入力装置と、該読出し装置により読み出された写真画像のデータを印刷する印刷装置と、所定のデータを記憶する記憶装置と、記録媒体に所定のデータを書き込む書込み装置と、該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御する制御装置とを有する写真画像印刷装置が開示されている。
【特許文献１】特開２００４−１６６０１６号公報
【特許文献２】特開２００４−１３０７７１号公報
【発明の開示】
【発明が解決しようとする課題】
【０００５】
しかしながら、上記のように、カメラを所持している個人が事後にプリント出力し、希望者に郵送するという作業は大変な労力を伴うことになり、カメラを所持している個人に対して負担になるという問題があった。
【０００６】
また、単にデジタルカメラ等で撮影しただけでは、それがどのような状況で撮影した写真か、写真に写っている人は誰なのかがわからないという問題があった。
【０００７】
また、特許文献１および特許文献２に開示されているような記念写真編集装置や写真画像印刷装置では、文字や図形などの書き込みが写真に行なえるようになっているが、結婚式のような華やかで特別なイベントにおいて装飾的に優れた編集が行なえ、利用者が満足できる装飾性のある画像を提供できるものではないという問題があった。
【０００８】
本発明はこれらの問題に鑑みてなされたものであり、移動可能にまたは固定的に設置され、簡易な操作で撮影画像を取得し、該取得した撮影画像に装飾性の高い装飾画像を用いて編集を施し、編集を施した撮影画像を印刷することができる画像印刷装置を提供することを目的としている。
【課題を解決するための手段】
【０００９】
上記目的を達成するためこの発明のある局面に従うと、画像印刷装置は、画像を取得する画像取得部と、前記画像に対する、普通色と特殊色とからなる装飾画像の入力を受付ける装飾画像受付部と、前記画像のレイアウト選択を受付けるレイアウト受付部と、前記レイアウトが行なわれた画像のプリント枚数を入力するプリント枚数入力部と、前記受付けられたレイアウト選択、および前記入力されたプリント枚数に従って、印刷媒体に、前記画像と前記装飾画像のうちの普通色の部分とのプリントを行なうカラー印刷部と、前記受付けられたレイアウト選択、および前記入力されたプリント枚数に従って、前記印刷媒体に、前記装飾画像のうちの特殊色の部分のプリントを行なう特殊色印刷部とを備え、前記カラー印刷部と前記特殊色印刷部とを動作させることにより、前記印刷媒体に、前記取得された画像と、前記入力された普通色と特殊色とからなる装飾画像の合成画像をプリントする。
【００１０】
好ましくは前記レイアウト受付部は、レイアウト表示領域と画像選択領域とを表示する表示部と、前記画像選択領域からの画像選択を受付ける第１受付部と、１つの印刷媒体に印刷する画像のレイアウトを受付ける第２受付部とを備え、前記第１受付部で受付けた画像選択の順番、および前記第２受付部で受付けたレイアウトに基づいて、前記レイアウト表示領域に選択された画像を表示し、前記レイアウト表示領域に表示された画像をプリントする画像とする。
【００１１】
好ましくは画像印刷装置は、前記画像に写っている人の数を判定する判定手段をさらに備え、前記プリント枚数入力手段は、前記判定手段の判定結果に基づいてプリント枚数を決定し、それを入力とする。
【００１２】
好ましくは画像印刷装置は、前記判定手段の判定結果に基づいて決定されたプリント枚数を、ユーザ入力に基づいて変更する変更手段をさらに備える。
【発明を実施するための最良の形態】
【００１３】
以下、図面を参照し、本発明の実施の形態を詳細に説明する。図中同一又は相当部分には同一符号を付してその説明は繰返さない。
【００１４】
図１は、本発明の実施の形態の１つにおける画像印刷装置の外観の斜視図である。
【００１５】
画像印刷装置の本体部（画像印刷装置の上部分）は、外部に画像取得部１０７、操作モニタ１０１（表示部）、操作モニタ１０１に積層されたタッチパネル１０３、およびタッチペン１０５を備える。また、画像印刷装置は、内部にプリンタ１０９ａ，１０９ｂ、制御装置１１５などの各種機器類を収める（図３参照）。
【００１６】
画像取得部１０７は、デジタルカメラや、カメラ付携帯電話等から出力された撮影画像データを取得するためのインターフェイスである。利用者の所持するデジタルカメラに対応できるように、各種のインターフェイスを備える。もちろん単独のインターフェイスを備えてもよい。
【００１７】
より具体的には、スマートメディア（登録商標）、コンパクトフラッシュ（登録商標）、メモリスティック、セキュアデジタルカード、マルチメディアカード、およびフロッピー（登録商標）ディスクなど多種多様な記憶媒体を取り込み可能なインターフェイスである。また、ＵＳＢ（Universal Serial Bus）規格に準拠したＵＳＢインターフェイスやＩＥＥＥ１３９４規格に準拠したＩＥＥＥ１３９４インターフェイスを備えることが望ましい。
【００１８】
また、無線でも画像を取得できるようにしておく。ＩｒＤＡ方式やブルートゥース方式やその他の近接無線通信方式を使用することができるようにしておくことが好ましく、無線で信号を受信するための通信ポートを備えるなど、各種の受信装置を備える。
【００１９】
上述のように、各種のインターフェイスに対応することによって、不特定多数の利用者が所持するデジタルカメラ等の記憶媒体や仕様に対応できるようにしておくことが好ましい。
【００２０】
なお、本体部に画像取得部１０７としてのカメラを備えて、該カメラで撮影した画像を直接取得するようにしてもよい。
【００２１】
上述のように様々なインターフェイスで構成する画像取得部１０７によって、様々な媒体から撮影画像データを取得することができる。
【００２２】
操作モニタ１０１と、タッチパネル１０３と、タッチペン１０５とは一体的に構成されている。操作モニタ１０１には透明なタッチパネル１０３が積層されており、タッチパネル１０３は、タッチペン１０５でタッチされることによって行なわれる入力を検出する。なお、操作モニタ１０１の操作面のある面を便宜上本体部の正面と呼ぶ。
【００２３】
操作モニタ１０１は、撮影画像や撮影画像の編集画面や入力の案内画面などを表示する表示手段として機能し、タッチパネル１０３は、タッチペン１０５の入力を受け付ける受付手段として機能する。このようにして、操作モニタ１０１に表示された撮影画像を見ながら、撮影画像上にタッチペン１０５でフレーム画像やスタンプ画像などの装飾画像を入力する編集操作を行なうことができる。
【００２４】
なお、ここではタッチペン１０５を用いた画像入力を行なうこととしているが、指により入力を行なうタッチパネルを用いることとしてもよい。
【００２５】
図２は、図１の画像印刷装置の外観の側面図である。
【００２６】
画像印刷装置の側面は、内部のプリンタ１０９ａ，１０９ｂや制御装置１１５などのメンテナンスを行なうためにメンテナンスドア１１３で開閉可能とされている。
【００２７】
メンテナンスドア１１３には、プリント取出口１１１ａ，１１１ｂが備えられる。プリント取出口１１１ａ，１１１ｂは、内部に配備されるプリンタ１０９ａ，１０９ｂによって撮影画像等が印刷された写真シートを利用者が取り出すための取出口である。
【００２８】
本実施の形態において、プリント取出口１１１ａ，１１１ｂは２箇所設置されている。本実施の形態において、プリンタ１０９ａ，１０９ｂは２台で構成されているため、夫々のプリンタ１０９ａ，１０９ｂから排出された印刷媒体Ｍ１，Ｍ２（ここではシールシート）が、夫々のプリント取出口１１１ａ，１１１ｂから排出される。また、プリント取出口１１１ａ，１１１ｂは１箇所に配置してもよい。
【００２９】
また、プリンタ１０９ａ，１０９ｂは１台で構成されてもよい。
【００３０】
また、図示してはいないが本体部には、本体部の内部の熱を逃がすためのファンや、外部装置への画像の配信、リモートメンテナンスなどの、外部装置との通信を行なうときにケーブルを差込むためのＬＡＮ(Local Area Network)ケーブル差込口などが備えられている。
【００３１】
図３は、本発明を適用した画像印刷装置を用いたシステムの構成を示すブロック図である。
【００３２】
図３を参照して、本実施の形態にかかる画像印刷装置は、各機能や処理動作のための演算、制御の中心部となる制御装置１１５を備える。制御装置１１５はパーソナルコンピュータなどのコンピュータ装置などが用いられる。
【００３３】
制御装置１１５は、制御手段として演算処理を行なう演算装置であるＣＰＵ(Central Processing Unit)２０１と、各種データの一時記憶並びに演算領域等として利用される揮発性記憶手段としてのメモリ２０３と、演算に必要なデータやプログラム並びにプログラムで必要なグラフィックデータ、音声データ、撮影された画像や撮影画像に対して入力した編集画像その他の各種画像などを格納している不揮発性記憶手段としての記憶部２０５と、カメラ、各種モニタ、プリンタなどの周辺機器を制御するためのソフトウェアであるドライバ２０７と、ＬＡＮケーブルを介して外部機器と接続された場合に通信を行なう通信部２０９とを含む。
【００３４】
また、制御装置１１５は、上述のように画像取得部１０７を備え、磁気ディスクや光ディスクや光磁気ディスク、または半導体メモリが装着可能なインターフェイスとして機能する。画像取得部１０７は、各種記録媒体に記録されている撮影画像Ｐなどを取得する。
【００３５】
制御装置１１５は、電源の投入及び切断を制御する電源スイッチ（図示せず）が押され、本装置に電源プラグより電源が投入されると、プログラムが起動されて動作を開始する。制御装置１１５は、操作モニタ１０１での表示や、プリンタ１０９ａ，１０９ｂでの出力を制御する。
【００３６】
また、制御装置１１５は、上記プログラムの実行や、タッチパネル１０３から受信した、タッチペン１０５による入力操作にしたがった指示信号を受信すると、操作モニタ１０１にその操作に従った制御信号を送信する。
【００３７】
プリンタ１０９ａ，１０９ｂは、撮影画像を紙やシールや金属やプラスチックなどの印刷媒体Ｍ１，Ｍ２に印刷するためのプリンタである。なお、画像印刷装置は、プリンタ１０９ａ，１０９ｂでシールを印刷するものとして説明を行なうが、印刷媒体はシールに限定されず、他の印刷媒体であっても同様の処理が実行される。
【００３８】
ここで、上記プリンタ１０９ａ，１０９ｂについて詳しく説明する。
【００３９】
図４は、プリンタ１０９ａ，１０９ｂのうちの１台の内部の構成を示す図である。
【００４０】
プリンタの内部には、印刷媒体（ここではシールシート）を供給するシート供給部３０１、印刷媒体をイエロー、マゼンタ、シアン、またはブラックなどの色のインクを用いてカラー印刷を行なうカラー印刷ユニット３０３、金・銀のメタリック色などの特殊色の顔料インク等を用いて印刷を行なう特殊色印刷ユニット３０５、上述のカラー印刷ユニット３０３および特殊色印刷ユニット３０５で印刷された印刷媒体をカッター３０７で所定の大きさに切断し、排出するシート排出部３０９、および上述の各部の動作を制御するプリンタ（印刷）制御部２１３が備えられる。
【００４１】
カラー印刷ユニット３０３は、発熱素子である第１サーマルヘッド３０３ａを備える。第１サーマルヘッド３０３ａは、イエロー（Ｙ）、マゼンタ（Ｍ）、シアン（Ｃ）の３色の昇華性の染料インクが展着された染料インクフィルム３０３ｃの染料インクを熱により昇華させて印刷媒体に転写する昇華型の印字ヘッドである。また、上記染料インクフィルム３０３ｃには、染料インク以外に透明樹脂によって染料インクをコーティングするオーバーコートも設けられており、第１サーマルヘッドにおいて、上記オーバーコートも施される。
【００４２】
したがって、この例において、上記印刷媒体としては表面に受容層として適当な樹脂がコーティングされた受容紙を用いることが望ましい。染料インクフィルム３０３ｃは、ローラ３０３ｂに収容されている。
【００４３】
特殊色印刷ユニット３０５は、発熱素子である第２サーマルヘッド３０５ａを備える。第２サーマルヘッド３０５ａは、金・銀のメタリック色などの特殊色の顔料インクが展着された顔料インクフィルム３０５ｂの顔料インクを熱により軟化させて印刷媒体に転写して吸着させる溶融型の印字ヘッドである。
【００４４】
本実施の形態では特殊色印刷ユニット３０５では特に、ブロンズ粉やアルミニウム粉等を用いた金色、銀色等のメタリック顔料インクが、キラキラ光る装飾的な効果が高く、好適に用いられる。上記メタリック色の印刷にあたっては、アルミニウム等の金属が蒸着されたフィルムをインクリボンとして用いることもできる。また、本発明の顔料インクはプラチナ色、パール色、ラメ色、蓄光顔料を含むインク、蛍光色のインク、隆起印刷用インク、液晶インク、示温インク、香料を含んだインク等も装飾的に優れているため、用いられてもよい。
【００４５】
このような装飾効果に優れたプリンタを採用することにより、結婚式などの特別な行事において好適な装飾的な画像を付加することができる画像印刷装置を提供することができる。
【００４６】
図５（Ａ）は、カラー印刷ユニット３０３と特殊色印刷ユニット３０５による印刷の具体例を示す図である。
【００４７】
図を参照して、カラー印刷ユニット３０３によるカラー（普通色）印刷（第１の印刷）の後に、特殊色印刷ユニットによる特殊色印刷（第２の印刷）を重ねることで、普通色の上に特殊色を重ねる印刷が実現される。
【００４８】
なお、ここではカラー印刷ユニット３０３での印刷の後に、印刷を重ねるなどして特殊色印刷ユニット３０５での印刷を行なうこととしているが、逆に、特殊色印刷ユニット３０５での印刷の後に、カラー印刷ユニット３０３での印刷を行なうこととしてもよい。
【００４９】
プリンタ制御部２１３は、ＣＰＵ２０１から送信される印刷データに基づいて、カラー印刷ユニット３０３、特殊色印刷ユニット３０５に信号を送出し上述の各部の制御を行なう。
【００５０】
より具体的に、図５（Ｂ）に示されるように、上記プリンタ制御部２１３は、被写体の撮影画像Ａ１と入力された装飾画像のうち普通色の画像Ｂ２に係る画像データを、第１サーマルヘッド制御部３１１に送信し、第１サーマルヘッド３０３ａによる染料インクの印刷を制御する。また、入力された装飾画像のうち特殊色の画像Ｂ１に係る画像データを、第２サーマルヘッド制御部３１３に送信し、第２サーマルヘッド３０５ａによる顔料インクの印刷を制御する。
【００５１】
上記プリンタ１０９ａ，１０９ｂにより、撮影画像と装飾画像とが印刷されて写真プリントが生成される。すなわち、まず、上記第１サーマルヘッド３０３ａによって、被写体の撮影画像Ａ１と装飾画像のうち普通色の画像Ｂ２との印刷が行なわれ、オーバーコートされた印刷媒体に、上記第２サーマルヘッド３０５ａによってさらに装飾画像のうち特殊色の画像Ｂ１の印刷が行なわれる。
【００５２】
上記形態により、撮影画像Ａ１、および装飾画像のうち普通色の画像Ｂ２の印画位置と、装飾画像のうち特殊色の画像Ｂ１の印画位置とが、微妙にずれてしまうことも想定される。このようなずれを補正するために、本画像印刷装置は、印刷ずれ修正を行なうことができる。印刷ずれ修正の処理は後に詳細を説明する。
【００５３】
なお、言うまでもなく、画像印刷装置の形態は図１〜図４に示される具体例に限定されるものではない。すなわち、図１〜図４に記載されない他の機能が備えられていてもよいし、図１〜図４に記載されている機能の必ずしも全てが備えられていなくても構わない。
【００５４】
次に、本実施の形態にかかる画像印刷装置での処理について図６のフローチャートを用いて説明する。
【００５５】
このような画像印刷装置の処理は、制御装置１１５のＣＰＵ２０１が、記憶部２０５に記憶されたプログラムをメモリ２０３に読出して実行することによって実現される。
【００５６】
まず、画像印刷装置に備わる電源スイッチ（図示せず）が投入されると、各種装置に電源が供給される。電源が供給されると、制御装置１１５の記憶部２０５に格納された動作プログラムが起動し、ＣＰＵ２０１は、初期化を行なった後、画像印刷装置の使用を促すトップ画面を操作モニタ１０１に表示する（Ｓ１）。
【００５７】
図７は、トップ画面の具体例を示す図である。
【００５８】
トップ画面では、「設定」ボタンと「ＳＴＡＲＴ」ボタンとが表示され、本画像印刷装置の利用を促す。また画面中の下部にはメッセージ領域が表示され、本画像印刷装置の利用に関する説明や情報を表示する。ＣＰＵ２０１は、「設定」ボタンがタッチされたか（Ｓ５）と、「ＳＴＡＲＴ」ボタンがタッチされたか（Ｓ１０）を判定する。「設定」ボタンがタッチされず（Ｓ５でＮＯ）、「ＳＴＡＲＴ」ボタンがタッチされない場合（Ｓ１０でＮＯ）、引き続きＣＰＵ２０１は、ボタンがタッチされたかどうかを監視する。
【００５９】
「設定」ボタンがタッチされると（Ｓ５でＹＥＳ）、ＣＰＵ２０１は、各種の設定処理を行なう設定メニュー画面を表示し各種設定処理を行なう（Ｓ１５）。この各種の設定に関しては後に詳細を説明する。
【００６０】
「設定」ボタンがタッチされず（Ｓ５でＮＯ）、「ＳＴＡＲＴ」ボタンがタッチされると（Ｓ１０でＹＥＳ）、ＣＰＵ２０１は、図８に示するようにメディアの挿入方法を説明する画面と「ＯＫ」ボタンと「トップ画面に戻る」ボタンとを操作モニタ１０１に表示し、画像取得処理を行なう（Ｓ２０）。ここでは、わかりやすく図柄やアニメーションなどでメディアの挿入方法を利用者に提示案内することが望ましい。
【００６１】
なお、複数種類の取得手段がある場合は、どのような記録媒体や手法によって、撮影画像を取得するかを選択する処理を説明画面を表示する前に行ない、取得手段に応じた取得方法を説明する画面を操作モニタに表示する。
【００６２】
利用者によって「トップ画面に戻る」ボタンがタッチされた場合は、再びステップＳ１に戻りメニュー画面を表示する。
【００６３】
一方、「トップ画面に戻る」ボタンがタッチされず、利用者によって「ＯＫ」ボタンがタッチされた場合、ＣＰＵ２０１は、適切にメディアが挿入されているかどうか判定し、適切にメディアが挿入されていない場合、適切にメディアが挿入されていない旨の案内画面を表示し、再度メディアの挿入を促す。
【００６４】
適切にメディアが挿入されている場合、ＣＰＵ２０１は、取得した撮影画像の中から、編集対象とする編集対象画像を選択する編集対象画像選択処理を行なう（Ｓ２５）。
【００６５】
図９は、編集対象とする撮影画像を選択する画像選択画面を示す図である。
【００６６】
編集対象画像選択画面には、メディアに記録されている撮影画像の一覧と一括選択ボタンと一括選択クリアボタンとが表示され、「一括選択」ボタンをタッチすることで、取得したい撮影画像を一括で全て選択したり、「一括選択クリア」ボタンをタッチすることで、選択されている撮影画像の選択を一括で解除したりすることができる。
【００６７】
編集対象画像の選択処理が終了すると、利用者からタッチペンによる編集対象画像に対する編集入力を受け付ける画像編集処理を行なう（Ｓ３０）。
【００６８】
図１０は、編集画面を示す図である。
【００６９】
図１０の編集入力領域４０１は、利用者が編集対象画像に対して装飾画像を編集入力するための作業領域である。編集入力領域４０１の上に配置される「前の画像」、「次の画像」ボタンは、タッチすることによって編集対象画像を切り替えることができる。また、編集入力領域４０１の下に配置される「回転」ボタンは、編集対象画像を回転させ画像を正しい位置で表示させることができる。装飾画像選択領域４０２，４０３は、編集を行なう機能を選択するための「メッセージ」、「フレーム」等の装飾画像を選択するための選択領域である。
【００７０】
「メッセージ」は、結婚式やその他の行事等に好適なメッセージやスタンプ画像などである。「フレーム」は、画像の周囲全てまたは一部を装飾的に飾る画像である。
【００７１】
また、図示はしていないが、装飾画像の入力を最初からやり直すための「はじめから」ボタンや、入力した装飾画像を消すための「けしごむ」、入力操作を一つ前の状態に戻すための「もどる」などの様々な機能ボタンも配置されていてもよい。また、手書きで文字が入力可能なようにペン機能が付されていてもよい。
【００７２】
「一括フレーム入力」ボタンがタッチされると、選択された全ての編集対象画像に同じ装飾画像が入力される。「クリア」ボタンがタッチされると、撮影画像に入力された装飾画像が全てクリアされる。
【００７３】
装飾画像は普通色と特殊色とで構成される。もちろん普通色のみで構成されている装飾画像があってもよいし、特殊色のみで構成されている装飾画像があってもよい。
【００７４】
特殊色としては、金・銀・ラメ・パールなど結婚式などのきらびやかな式典や行事に対して装飾的に好適な色が使用されるため、撮影画像をより豪華にすることができるとともに、記念となるような画像にすることができる。
【００７５】
利用者は、これらのボタンをタッチペンでタッチすることで使用する装飾画像を選択し、編集操作を行なう。装飾画像選択領域４０２，４０３に装飾画像が複数種類表示され、複数種類の装飾画像の中から利用者所望のいずれかの装飾画像を選択した後、編集入力領域４０１に表示された編集対象画像の上で編集入力（装飾画像の入力）を行なうことができる。
【００７６】
上述のような編集画面を用いて編集入力処理を行なった後、該編集入力を行なった撮影画像と装飾画像とは合成され記憶部２０５に記憶される。
【００７７】
「画像選択画面へ」ボタンがタッチされると、画像選択画面に戻り、画像選択処理を行なう。「レイアウト選択画面へ」ボタンがタッチされると、印刷媒体にプリントするレイアウトを選択するレイアウト選択処理へ移行する（Ｓ３５）。
【００７８】
図１１は、レイアウト選択画面を示す図である。
【００７９】
レイアウト選択画面では、「分割なし」「２分割」「４分割」などのボタンをタッチすることで、印刷媒体にプリントする画像のレイアウトを選択することができるようになっている。
【００８０】
「画像編集画面へ」ボタンがタッチされると、画像編集画面へ戻り、画像編集処理を行なう。「プリント選択画面へ」ボタンがタッチされると、それぞれの画像のプリント枚数を設定するプリント枚数選択処理へ移行する（Ｓ４０）。
【００８１】
図１２は、プリント設定画面を示す図である。
【００８２】
ここでは、それぞれレイアウトが決定されたプリントサンプルの画像が複数表示される。プリントサンプルの画像各々の横にある枚数設定ボタンで、各々の画像に対するプリント枚数を設定するようになっている。
【００８３】
「レイアウト選択画面へ」ボタンがタッチされると、レイアウト選択画面へ戻り、レイアウト選択処理を行なう。「プリント実行」ボタンがタッチされると、ＣＰＵ２０１の指示信号によって、プリンタ１０９ａ，１０９ｂは、設定したプリント枚数分の印刷を実行する（Ｓ４５）。そして、印刷媒体にプリントが行なわれ、プリント取出口１１１ａ，１１１ｂに排出される。
【００８４】
こうして、画像がプリントされた印刷媒体が利用者に提供される。
【００８５】
次に、前述の図６のステップＳ１５の各種処理の設定について説明する。
【００８６】
図１３は、設定メニューの画面を示す図である。
【００８７】
設定メニューでは各種の設定機能が表示され、利用に関する情報や装置の設定処理を行なう。
【００８８】
「メッセージ、氏名の入力」では、メッセージ、氏名などを入力する画面を表示し、利用者に氏名などを入力させる。例えば結婚式などで使用する場合に、「Ｔａｒｏ＆Ｈａｎａｋｏ」のように新郎新婦の名前を入力したり。特別なメッセージを入力できるようになっている。ここで設定された情報は、記憶部２０１に記憶され、画像の編集時に適宜呼び出され使用される。
【００８９】
「機器のテスト」では、画像印刷装置を構成するタッチパネル、操作モニタ、プリンタなどの各種機器の動作テストや調整を行なう。
【００９０】
「印刷ズレ調整」では、プリンタの普通色と特殊色のずれを調整する。これは、後に詳細を説明する。
【００９１】
「プリント枚数確認」では、出力したプリント枚数を確認することができる。例えば出力したプリント枚数に応じて課金する場合などに必要である。
【００９２】
「初期設定に戻す」では、設定情報が全て初期化される。「メッセージ、氏名の入力」などの情報も初期化される。
【００９３】
「トップメニューに戻る」では、図７が図示するトップ画面に戻る。
【００９４】
次に、印刷ずれ調整について説明する。まず、印刷ずれ調整のプログラムを起動する。これは、図１３の画面から起動するようにしてもよいし、テストボタンなどを画像印刷装置に配備し、該テストボタンが操作者によって押下されることによって起動してもよいし、一定の規則に従って入力装置などを操作することによって起動してもよい。ここで言う操作者とは、画像印刷装置のメンテナンスを行なう者である。
【００９５】
印刷ずれ調整のプログラムが起動すると、図１４が図示する印刷ずれ調整画面を操作モニタ１０１に表示する。
【００９６】
印刷ずれ調整では、まず、図１５が図示するチェックシートを印刷する。操作者によって、図１４の「チェックシートをプリント」ボタンがタッチされると、ＣＰＵ２０１は、チェックシートを印刷する。
【００９７】
図１５を参照して、チェックシートには、印刷方向と幅方向（印刷方向に垂直な方向）にそれぞれ「−７」から「＋７」の計１５本の、普通色の線（図中黒い線）と特殊色の線（図中白い線）とが印画される。チェックシートを印刷した結果、上下と左右とも「０」の中心に普通色と特殊色とがきれいに重なっている状態であると、普通色と特殊色の印画にずれが生じていないということになる。
【００９８】
そして、「０」の位置の中心に普通色と特殊色とがきれいに重なっていない場合は、印刷ずれ修正画面（図１４）にて修正を行なう。より具体的にはチェックシートの上下の「＋１」の位置の中心に普通色と特殊色とがきれいに重なっている場合は、印刷ずれ修正画面の上下の目盛を上下の矢印ボタンをタッチすることによって「＋１」にする。また、チェックシートの左右の「−２」の位置の中心に普通色と特殊色とがきれいに重なっている場合は、印刷ずれ修正画面の左右の目盛を左右の矢印ボタンをタッチすることによって「−２」にする。
【００９９】
ここで、再度「チェックシートをプリント」ボタンが操作者によってタッチされると、オフセットに画面に表示されているずれ分を足しこんで修正を適用して印刷を行なう。印刷されたチェックシートの「０」の位置の中心に普通色と特殊色がきれいに重なっていれば、修正完了である。ずれているようであれば、再度修正を行なう。
【０１００】
そして、印刷ずれ修正画面（図１４）の「修正を適用して戻る」ボタンをタッチすると、保存していたオフセットに画面に表示されているずれ分を足しこんで修正を適用し、メインメニューに戻る。一方「修正を適用せずに戻る」ボタンをタッチすると、保存されていたオフセットを再セットして終了する。
【０１０１】
このようにして、チェックシートで普通色と特殊色とがきれいに重なって印画される位置に修正することによって、普通色と特殊色とのずれがなくなり、きれいに印刷することができる。
【０１０２】
＜レイアウト選択処理の詳細＞
次に、レイアウト選択処理（図６のＳ３５）の詳細な説明を図１６のフローチャートを用いて説明する。
【０１０３】
結婚式の披露宴などは時間が限られている。従って、このような結婚式などで利用する画像印刷装置は、限られた時間内に効率よく操作できるようになっている必要がある。そのため、以下のような処理を行なう。
【０１０４】
まず、レイアウト選択画面の初期画面を操作モニタ１０１に表示する（Ｓ１００）。図１７は、レイアウト選択画面の初期画面を示す図である。レイアウト選択画面には、レイアウト表示領域５０１と画像選択領域５０３とが表示される。初期画面ではレイアウト表示領域５０１には画像は表示されない。ステップＳ２５で選択した画像が画像選択領域５０３に一覧で表示され、その中から所望の画像を利用者は選択していくことによって、レイアウト表示領域５０１に画像が表示されていく。また、「分割なし」「２分割」「４分割」などのボタンをタッチすることで、１枚の印刷媒体にプリントする画像のレイアウト、枚数を選択することができるようになっている。
【０１０５】
レイアウト選択処理では、ＣＰＵ２０１は画像がタッチされたか否かと（Ｓ１０５）、分割ボタンのいずれがタッチされたか否かを判定し（Ｓ１１０）、画像や、タッチされたボタンによって画像をレイアウト表示領域５０１に所定の規則で配置する（Ｓ１１５）。
【０１０６】
所定の規則で配置したら再び、ステップＳ１０５とステップＳ１１０の監視を行なう。
【０１０７】
上述の所定の規則について説明する。画像はタッチされた順番にタッチされた順番情報をそのタッチされた画像と関連付けてメモリ２０３に保持し、この順番情報に基づいて画像が配置される。
【０１０８】
より具体的に説明すると、図１８（Ａ）が図示するように、画像選択領域の画像Ａがタッチ（選択）されると、レイアウト表示領域の領域１にタッチされた画像Ａが表示される（符号「Ａ１」で示す）。ここで「２分割」ボタンがタッチされると、図１８（Ｂ）が図示するように、レイアウト表示領域が２分割され、過去にタッチされた画像Ａが領域１と領域２とにそれぞれ表示さる。「４分割」ボタンがタッチされると、図１８（Ｃ）が図示するように、レイアウト表示領域が４分割され、過去にタッチされた画像Ａが領域１〜領域４にそれぞれ表示される。つまり、２分割では同じ画像が２枚、４分割では同じ画像が４枚配置され表示される。なお、領域や順序の違いを表わすため、便宜上画像Ａに１〜４の数値を付しているが、同じアルファベット（例えばＡ〜Ｊ）が付された画像（例えばＡ１、Ａ２、Ａ３、Ａ４）は全て同一内容の画像である。
【０１０９】
図１８（Ａ）〜（Ｃ）のそれぞれの状態から、次に画像Ｆがタッチされると、図１９（Ａ）〜（Ｃ）が図示するように、レイアウト表示領域の領域１に画像Ｆを表示し、画像Ｆの前に選択した画像Ａの配置をそれぞれずらして配置する。図１９（Ａ）は分割なし、図１９（Ｂ）は２分割、図１９（Ｃ）は４分割の場合の具体例である。すなわち、図１８（Ａ）〜（Ｃ）のそれぞれの状態から画像Ｆが選択された状態が、図１９（Ａ）〜（Ｃ）に示される状態である。
【０１１０】
例えば４分割の場合、領域１に直近で選択した画像Ｆ１を表示し、領域２にその前に選択した画像Ａ１を表示し、領域３に画像Ａ２を表示し、領域４に画像Ａ３を表示する。画像Ａ４は、ずらされた結果、レイアウトからはみ出た画像Ａ４は、図１９（Ｃ）では表示されない。
【０１１１】
さらに、図１９（Ａ）〜（Ｃ）のそれぞれの状態から、次に画像Ｈがタッチされると、図２０（Ａ）〜（Ｃ）が図示するように、レイアウト表示領域の領域１に画像Ｈを表示し、画像Ｈの前に選択した画像Ｆ、その前に選択した画像Ａの配置をそれぞれずらして配置する。図２０（Ａ）は分割なし、図２０（Ｂ）は２分割、図２０（Ｃ）は４分割の場合の具体例である。例えば４分割の場合、領域１に直近で選択した画像Ｈ１を表示し、領域２にその前に選択した画像Ｆ１を表示し、領域３にさらにその前に選択した画像Ａ１を表示し、領域４に画像Ａ２を表示する。
【０１１２】
またさらに、図２０（Ａ）〜（Ｃ）のそれぞれの状態から、次に画像Ｈがタッチされると、図２１（Ａ）〜（Ｃ）が図示するように、レイアウト表示領域の領域１に画像Ｈを表示し、画像Ｈの前に選択した画像Ｈ、その前に選択した画像Ｆ、その前に選択した画像Ａの配置をそれぞれずらして配置する。図２１（Ａ）は分割なし、図２１（Ｂ）は２分割、図２１（Ｃ）は４分割の場合の具体例である。例えば４分割の場合、領域１に直近で選択した画像Ｈ２を表示し、領域２にその前に選択した画像Ｈ１を表示し、領域３にさらにその前に選択した画像Ｆ１を表示し、領域４にさらにその前に選択した画像Ａ１を表示する。
【０１１３】
上述の処理中、画像が選択される毎に、上記順番情報が画像に関連付けて追加され、メモリに保持される。つまり上述の具体例では画像Ａ、画像Ｆ、画像Ｈ、画像Ｈの順に順番付けされる。
【０１１４】
上述のように順番情報がそれぞれの画像に保持されているため、図２１の状態の時に「分割なし」の状態から「２分割」を選択すると、領域１に直近に選択したＨ２が配置され、領域２に１つ前に選択したＨ１が配置される。同様に「分割なし」の状態から「４分割」を選択すると領域１に直近に選択したＨ２が配置され、領域２に１つ前に選択したＨ１が配置され、領域３にさらに前に選択したＦ１が配置され、領域４にそのさらに前に選択したＡ１が配置される。
【０１１５】
また、例えば「４分割」の状態から「分割なし」を選択すると領域１に直近に選択したＨ２が配置される。このように、分割数が変更されたときは、順番情報に従って画像が再配置される。
【０１１６】
このようにして、画像はタッチされた順番と分割数に対応して所定の配置がなされる。もちろん上述のような規則に限定されるものではなく、複数種類の画像が自由に１つの印刷媒体上に印刷できるようにレイアウト可能であればよい。
【０１１７】
図１６のフローに戻って、ＣＰＵ２０１は「ＯＫ」ボタンがタッチされたか否かを監視する（Ｓ１２０）。「ＯＫ」ボタンがタッチされた場合（Ｓ１２０でＹＥＳ）、画像が選択され配置されているか否かを判定する（Ｓ１２５）。
【０１１８】
画像が配置されていない場合、すなわちレイアウト選択処理に移行してから、１枚も画像を選択していない状態で「ＯＫ」ボタンをタッチした場合は（Ｓ１２５でＮＯ）、印刷用データの作成処理をしないで、ステップＳ１０５に戻り、初期画面を表示したまま画像の選択や分割数の選択を監視する一連の処理を繰返し行なう。
【０１１９】
画像が配置されている場合は（Ｓ１２５でＹＥＳ）、現在画面上に表示されている配置（画像と分割数の組み合わせのレイアウト）を確定し、印刷用データを作成し、メモリ２０３に保存する（Ｓ１３０）。そして、ステップＳ１０５に戻り、一連の処理を繰返し行なう。
【０１２０】
上述のようにして、「ＯＫ」ボタンがタッチされた枚数分の印刷用データを作成することができる。
【０１２１】
「ＯＫ」ボタンがタッチされていない場合（Ｓ１２０でＮＯ）、ＣＰＵ２０１は、「プリント選択画面へ」ボタンがタッチされたか否かを監視する（Ｓ１３５）。
【０１２２】
「プリント選択画面へ」ボタンがタッチされた場合（Ｓ１３５でＹＥＳ）、ステップＳ１３０で作成された印刷用データそれぞれのプリント枚数を設定するプリント枚数選択処理（Ｓ４０）へ移行する。「プリント選択画面へ」ボタンがタッチされていない場合（Ｓ１３５でＮＯ）、「画像編集画面へ」ボタンがタッチされたか否かを判定する（Ｓ１４０）。
【０１２３】
「画像編集画面へ」ボタンがタッチされた場合（Ｓ１４０でＹＥＳ）、レイアウト選択処理を終了し、画像編集処理へ戻る。「画像編集画面へ」ボタンがタッチされていない場合（Ｓ１４０でＮＯ）、再びステップＳ１０５に戻り、一連の処理を行なう。
【０１２４】
このようなレイアウト選択処理によって、効率よく１枚の印刷媒体に印刷する画像の種類や枚数を選択することができる。利用者にとっても、所望の画像を１枚の印刷媒体に印刷できるので経済的であるとともに満足感が増す。
【０１２５】
＜変形例１＞
なお、図１０および図１２に示される装飾画像の入力とプリント枚数の入力は時間を要する処理であり、披露宴などの時間が限られた状況においては、装置の利用を希望する全ての人の要求が満たされない場合がある。
【０１２６】
そこで、図２２に示されるように、例えば撮影により得られた複数の画像や、図９で選択された複数の画像を、インデックスプリントとして１枚の紙にサイズを小さくして印刷し、図２３のマークシートにより、利用者からプリントを行なう画像の番号と、それを装飾する装飾画像の番号と、プリント枚数と、利用者自身の座席番号とを入力することで、プリントを行なうこととしてもよい。
【０１２７】
この場合、図１の画像取得部１０７などに、マークシートを読取る機能を備え、制御装置１１５にマークシートの内容を分析し、それに基づいた画像合成処理と、プリント処理とを実行させることとなる。
【０１２８】
この場合、印刷媒体には画像と共に、図２３で入力された利用者の座席番号などをプリントすることが望ましい。
【０１２９】
さらに、装飾画像のサンプルは、図２２のようにインデックス画像として利用者に配布し、どの装飾画像を利用するかを選択させるようにしてもよい。また、このとき装飾画像のインデックス画像をプリントするシートを透明なものとすることで（あるいは、装飾画像がなく、下の撮影画像が見える部分を刳り貫いたシートとすることで）、利用者は、撮影画像のインデックス画像に、装飾画像のインデックス画像を重ね合わせ、合成画像の仕上がりを確認しながら装飾画像を選ぶことができる。
【０１３０】
また、利用者が直接マークシートを装置に読取らせるのではなく、会場の担当者が複数の利用者からマークシートを回収し、読取らせるようにしてもよい。
【０１３１】
このような処理をすることで、迅速にプリント処理を行なうことができる。
【０１３２】
＜変形例２＞
また、図１２でプリント枚数の入力を受付ける代わりに、写真画像から写っている人の人数を解析し、それに基づいてプリント枚数を決定するようにしてもよい。
【０１３３】
図２４は、そのような処理をする場合のＣＰＵが実行するプログラムの処理を示すフローチャートである。
【０１３４】
図を参照して、ステップＳ２０１で画像を解析することにより、写っている人数を判定する。ステップＳ２０３で、処理の対象となる画像を全て解析したかを判断し、全ての画像の解析を行なう。
【０１３５】
ステップＳ２０５で、各画像のプリント枚数を各画像に写っている人の人数とした上で、図１２のプリント枚数選択画面を表示する。すなわち、当該画面においては予めプリント枚数として、画像に写っている人の人数が設定されている。
【０１３６】
ステップＳ２０７において、枚数設定ボタン（図１２の三角形のボタン）の操作を受付けたならば、ステップＳ２１１で枚数変更処理を実行する。これにより、枚数の変更を受付ける。
【０１３７】
また、ステップＳ２０９でプリントを実行する場合には、メインルーチンへ戻る。
【０１３８】
なお、写っている人数が所定値以上であれば、上限値をプリント枚数として設定するようにしてもよい。
【０１３９】
また、２分割、４分割などで複数種類の画像をレイアウトしてプリントする場合は、それぞれの画像において、最も写っている人の多い人数に合わせてプリント枚数を設定するようにしてもよいし、全ての画像の人数を足し合わせたものをプリント枚数としてもよい。
【０１４０】
＜その他＞
なお、図９などに示される画像選択の画面を表示する時は、小さな画像を表示すればよいので、その分のデータのみを読込むようにすると、処理の高速化が図れる。
【０１４１】
また、撮影画像のサイズは、撮影装置や撮影モードに応じて異なるため、画像を入力する際に統一するようにしてもよい。また、サイズの変更、トリミング、画像移動、明るさ調整、コントラスト調整などのユーザからの入力を受付けるようにしてもよい。
【０１４２】
さらに、画像が縦方向であるか横方向であるかを判定し、それに応じて選択できる装飾画像を変えてもよいし、同じ画像データを縦方向用、横方向用に加工しなおしてもよい。
【０１４３】
また、図１２の画面の左下に「１６／５０」などと示されるように、プリント可能な最大枚数（ここでは５０枚）を決めておくことで、プリント時間が長くなったり、消耗品がすぐになくなることを防ぐことができる。
【０１４４】
さらに、設定メニューから共通メッセージ（例えば、イベントの名称、主役の名前、日付けなど）を入力させ、それを全ての画像に写しこむことも可能である。さらに、ユーザの選択によって、共通メッセージを消すことを受付けてもよい。
【０１４５】
また、画像取得部１０７により、複数の媒体からの画像入力を受付け、それを装置内にストックし、図９の選択画面で選択させるようにしてもよい。また、このとき画像を撮影時間順に並べてもよいし、媒体ごとにまとめて並べてもよい。
【０１４６】
また、同じ画像を複数枚プリントする場合においても、同一のプリンタを用いるのではなく、２台のプリンタを切り替えてプリントする（ビジー信号を出力していないプリンタに画像を送る）ことで、迅速なプリントを行なうことができる。
【０１４７】
また、上述の画像印刷装置の制御装置１１５が実行する制御方法（フローチャートで示される処理）を、プログラムとして提供することもできる。このようなプログラムは、制御装置に付属するフレキシブルディスク、ＣＤ−ＲＯＭ（Compact Disc-Read Only Memory）、ＤＶＤ−ＲＯＭ（Digital Versatile Disc）、ＲＯＭ（Read Only Memory）、ＲＡＭ（Random Access Memory）およびメモリカードなどの制御装置で読取り可能な記録媒体にて記録させて、プログラム製品として提供することもできる。あるいは、制御装置に内蔵するハードディスクなどの記録媒体にて記録させて、プログラムを提供することもできる。また、電気通信回線や衛星通信回線などのネットワークを通じて、プログラムを提供することもできる。
【０１４８】
提供されるプログラム製品は、ハードディスクなどのプログラム格納部にインストールされて実行される。なお、プログラム製品は、プログラム自体と、プログラムが記録された記録媒体とを含む。
【０１４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１５０】
【図１】本発明の実施の形態の１つにおける画像印刷装置の外観の斜視図である。
【図２】図１の画像印刷装置の外観の側面図である。
【図３】本発明を適用した画像印刷装置を用いたシステムの構成を示すブロック図である。
【図４】プリンタ１０９ａ，１０９ｂのうちの１台の内部の構成を示す図である。
【図５】カラー印刷ユニット３０３と特殊色印刷ユニットによる印刷の具体例を示す図である。
【図６】本実施の形態にかかる画像印刷装置の処理を示すフローチャートである。
【図７】トップ画面の具体例を示す図である。
【図８】メディアの挿入方法を説明する画面を示す図である。
【図９】編集対象とする撮影画像を選択する画像選択画面を示す図である。
【図１０】編集画面を示す図である。
【図１１】レイアウト選択画面を示す図である。
【図１２】プリント設定画面を示す図である。
【図１３】設定メニューの画面を示す図である。
【図１４】印刷ずれ調整画面を示す図である。
【図１５】チェックシートの具体例を示す図である。
【図１６】レイアウト選択処理（図６のＳ３５）を示すフローチャートである。
【図１７】レイアウト選択画面の初期画面を示す図である。
【図１８】レイアウト選択画面の表示例を示す図である。
【図１９】レイアウト選択画面の表示例を示す図である。
【図２０】レイアウト選択画面の表示例を示す図である。
【図２１】レイアウト選択画面の表示例を示す図である。
【図２２】インデックスプリントの具体例を示す図である。
【図２３】マークシートの具体例を示す図である。
【図２４】写真画像から写っている人の人数を解析し、それに基づいてプリント枚数を決定する処理を示すフローチャートである。
【符号の説明】
【０１５１】
１０１  操作モニタ（表示部）、１０３  タッチパネル、１０５  タッチペン、１０７  画像取得部、１０９ａ，１０９ｂ  プリンタ、１１５  制御装置、３０３  カラー印刷ユニット、３０５  特殊色印刷ユニット。
【図１】
2006142776.tif 000003
【図２】
2006142776.tif 000004
【図３】
2006142776.tif 000005
【図４】
2006142776.tif 000006
【図５】
2006142776.tif 000007
【図６】
2006142776.tif 000008
【図７】
2006142776.tif 000009
【図８】
2006142776.tif 000010
【図９】
2006142776.tif 000011
【図１０】
2006142776.tif 000012
【図１１】
2006142776.tif 000013
【図１２】
2006142776.tif 000014
【図１３】
2006142776.tif 000015
【図１４】
2006142776.tif 000016
【図１５】
2006142776.tif 000017
【図１６】
2006142776.tif 000018
【図１７】
2006142776.tif 000019
【図１８】
2006142776.tif 000020
【図１９】
2006142776.tif 000021
【図２０】
2006142776.tif 000022
【図２１】
2006142776.tif 000023
【図２２】
2006142776.tif 000024
【図２３】
2006142776.tif 000025
【図２４】
2006142776.tif 000026